(57)【特許請求の範囲】
【請求項１】
既設の屋外用腰窓サッシの窓障子を着脱する場合において、その着脱作業を補助するために一時的に仮設する器具で、窓サッシの屋外側に設置して外障子を仮置きするための外障子ホルダーと、それを支持するために、既存の窓枠サッシの額縁または窓枠もしくはその周辺の数か所に固定するベースとを備え、外障子を窓サッシの屋外側に仮置きできるようにするもので、障子の着脱作業が完了したら容易に撤去できることを特徴とする外窓障子着脱作業補助器具。
【発明の詳細な説明】
【技術分野】
【０００１】  本発明は、屋外用引き違い腰窓サッシの窓障子を着脱する際の作業を補助する器具に関する。
【背景技術】
【０００２】  屋外用引き違い腰窓サッシの窓障子を着脱する際には、障子の外枠部分しか持つ場所が無いので、ガラス用吸盤を用いて持ち手を確保して作業していた。
【発明の概要】
【発明が解決しようとする課題】
【０００３】  鉄筋コンクリート造等の耐火建築物に取り付けられている屋外用引き違い腰窓サッシの窓障子には、厚さ６．８ミリメートル以上の網入りガラスがはめ込まれており、戸車交換等のため窓障子を取りはずしたり、または、取り付けたりする場合には、大変に重く、外障子を落下させる危険性もあって非常に困難な作業であるが、腰窓サッシは、掃き出し窓サッシのように屋外側にベランダ等が無いので、一切の作業を屋内側から手を伸ばして行わなければならない。【０００４】  屋外用引き違い腰窓サッシの外障子を取り外すときは、内障子が取り付けてある状態のまま、外障子を屋外側方向に向けて外すこととなり、その外した外障子は、内障子を避けて屋内に取り込まなければならない。この場合、内障子を窓枠縦框の左右どちらに寄せても、外障子が取り付けてあった状態のままの方向では、外障子を屋内に取り込むのに必要な幅スペースは確保できないので、外障子を方向転換しなければならない。外障子の形状により天地方向に縦長の長方形であれば、横倒しにしなくてはならず、外した外障子と作業する自身との間に、作業の障害になる内障子を挟んで、外障子と自身との距離が遠いままの作業を余儀なくされる。【０００５】  外障子を取り付けるときは、先に外障子を取り付けてしまうと内障子が取り付けられなくなるため、先に内障子を取り付けなければならず、その内障子を避けて外障子を屋外へ持ち出し、取り付ける状態へと方向転換した後取り付けることとなる。【０００６】  外障子の着脱作業は通常、ガラス用の吸盤を外障子のガラスに取り付けて持ち手を確保して複数人で行っているが、その作業を困難ならしめる要因は、障子の重さや持ち難い形状によるものというよりも、内障子の存在が作業の障害になっているのであり、そのことは、通常内障子の着脱作業は、吸盤も用いずに一人で容易に行えることからも明らかである。【０００７】  屋外用引き違い腰窓サッシの障子の着脱において困難なことは、外障子の取り込み及び持ち出しに係る作業だけであり、内障子の着脱はその着脱方向が自身のいる室内側になり、障子と自身の身体との間に作業の障害になるものが無いので、障子を身体に密着させて作業できるので容易に行える。【０００８】  屋外用引き違い腰窓サッシの障子の着脱を容易に行えるようにするには、取り外した外障子を屋内に取り込む際及び取り付けようとする外障子を屋外に持ち出す際に、内障子が外障子と自身の間に無ければ良いことになる。
【課題を解決するための手段】
【０００９】  上記目的を達成するために本発明は、外障子を取り外す場合には、外障子及び内障子を窓枠中央付近に寄せ、窓枠内の左右にできる空間を利用して、本発明に係る窓障子着脱作業補助器具を設置した後に外障子を取り外し、その外障子を屋内に取り込む事なく、窓障子着脱作業補助器具の障子ホルダーに立て掛けて仮置きし、空いた手で、内障子を外して先に屋内に取り込んだ後、障害物の無くなった空間から先ほど立て掛けておいた外障子を難なく屋内に取り込むのである。【００１０】  外障子を取り付ける場合には、内障子を取り付ける前に、外障子を取り付ける方向にした状態のまま屋外に持ち出して窓障子着脱作業補助器具の障子ホルダーに立て掛けて仮置きし、内障子を取り付けた後、立て掛けてあった外障子を取り付ける。
【発明の効果】
【００１１】  本発明の外障子着脱作業補助器具を使用すると、外障子を方向転換する必要が無くなり、屋内への取り込み及び屋外への持ち出し作業を、窓枠内に障害物がない状態で、障子と自身の身体とを密着させて行うことができる。
【図面の簡単な説明】
【００１２】
【図１】外腰窓サッシを屋内側から見た図である。
【図２】外腰窓サッシの一部を屋内右斜め上側から見た図である。
【図３】実施例１において、本発明に係る外障子着脱作業補助器具を窓サッシに取り付けた状態を示す斜視図である。
【図４】実施例１における本発明に係る外障子着脱作業補助器具の左側の本体ベースの斜視図である。
【図５】実施例１において、仮置き台を取り付ける場合における仮置き台の斜視図である。
【図６】実施例２において、本発明に係る外障子着脱作業補助器具を窓サッシに取り付けた状態を示す斜視図である。
【図７】実施例２における本発明に係る外障子着脱作業補助器具の斜視図である。
【図８】実施例３において、本発明に係る外障子着脱作業補助器具を窓サッシに取り付けた状態を示す斜視図である。
【図９】実施例３における本発明に係る外障子着脱作業補助器具の本体ベースの斜視図である。
【図１０】実施例３における本発明に係る外障子着脱作業補助器具の本体ベースの正面図である。
【図１１】実施例３における本発明に係る外障子着脱作業補助器具の本体ベースを横から見た平面図である。
【図１２】実施例３において、本発明に係る外障子着脱作業補助器具を窓サッシに取り付けた状態の一部を屋内右斜め上から見た図である。
【図１３】実施例３における外障子底部ホルダーの一部を示す図である。
【図１４】実施例３において、本発明に係る外障子着脱作業補助器具に外障子を仮置きした状態の一部を示す図である。
【図１５】実施例４において、本発明に係る外障子着脱作業補助器具を窓サッシに取り付けた状態を示す斜視図である。
【図１６】伸縮ポールをねじ止めした場合の例である。
【図１７】伸縮ポールをガタ止めプラグで止めた場合の例である。
【図１８】実施例５において、本発明に係る外障子着脱作業補助器具を窓サッシに取り付けた状態を示す斜視図である。
【図１９】実施例５における仮置き台一体型外障子ホルダーの斜視図である。
【図２０】実施例５における仮置き台一体型外障子ホルダーをサッシ水切りに乗せた状態を示す図である。
【図２１】実施例６において、本発明に係る外障子着脱作業補助器具を窓サッシに取り付けた状態を示す斜視図である。
【図２２】実施例６における本体ベース窓レール固定金具の拡大斜視図である。
【図２３】実施例６における本体ベース窓レール固定金具の分解図である。
【発明を実施するための形態】
【００１３】  以下、本発明の実施の形態を図１〜図２３に基づいて説明する。
【実施例１】
【００１４】  本発明の実施例１について説明する。内障子７３及び外障子７４を窓枠中央付近に移動して、窓枠内左右に本体ベース１を取り付けるスペースを確保し、左右にそれぞれ本体ベースを外壁７８と内壁７７とを挟んで固定し、外障子ホルダーポール４を通し穴５に通して上下段とも取り付ける。この状態で下段のポールとサッシ水切り７２の間に外障子７４が入る隙間があるようならば、図５に示す外障子仮置き台２１を外障子ホルダーポールに立て掛けて隙間を塞ぐ。本体ベースの内壁側当て板２４と外壁側当て板２５の間は、通常の住宅の壁の厚さを想定した１５〜４０ｃｍで開閉するものとし、家畜舎のような簡易で壁の薄い建築物に際しては、当て板間に更に椹木をして使用する。【００１５】  外窓障子の取り外しに際しては、窓枠サッシの中央付近において外障子を外し、本発明に係る外障子着脱作業補助器具の外障子ホルダーポールに一時立て掛け、内障子を外して屋内に取り込んだ後、外障子を屋内に取り込む。外障子ホルダーポールの伸縮可動範囲については、一般的な屋外用引き違い腰窓サッシの幅サイズを基にして１２０〜２２０ｃｍ程度を想定している。【００１６】  外窓障子の取り付けに際しては、外障子を取り付ける方向にして屋外に持ち出して、本発明に係る外障子着脱作業補助器具の外障子ホルダーポールに一時立て掛け、内障子を取り付けた後、外障子を取り付ける。外障子ホルダーポールの強度については、一般的な障子の大きさを縦１３０ｃｍ前後、横８０ｃｍ前後とした場合で、厚さ６．８ｍｍの硝子が入った障子の重量が２０ｋｇ前後となるので、通常の洗濯物干し竿のような中空のもので十分である。
【実施例２】
【００１７】  本発明の実施例２について説明する。内障子及び外障子を窓枠中央付近に移動して、窓枠内左右に本体ベースを取り付けるスペースを確保し左右いずれかのスペースから本体ベース一体型外障子ホルダー１６を屋外に持ち出し、左右の固定金具を外壁と内壁を挟んで回転ハンドル２３を回して固定し、外障子ホルダーポール４の固定ネジ６を回して留める。この場合でも下段のポールとサッシ水切りの間に外障子が入る隙間があるようならば、外障子仮置き台を外障子ホルダーポールに立て掛けて隙間を塞ぐ。なお、外障子仮置き台は網状でも板状でも構わないが、板状の場合は、割れにくくて軽いプラスチック等が好ましく、風に煽られないように多数の風穴を設けた方がよい。
【実施例３】
【００１８】  窓障子の重量に耐えられる程の剛性を有し一般的な腰窓サッシの上下レール間の距離に適応する長さに伸縮可変するパイプ９の両端に固定金具１１を設け、その固定金具１１を上下の窓レールの内障子用レール６４、６５と外障子用レール６７，６８の間にそれぞれ挟み込み、それぞれの固定金具１１の調整つまみ１４を回して固定した後、伸縮可変パイプを固定ネジ１０で固定する。固定金具１１を挟み込むために選択する場所は、窓枠５２、５３と内障子用レール内障子用レールまたは、外障子用レールと網戸レール７０，７１としても良く、隣り合わないレール間で取り付けてもかまわない。【００１９】  左右それぞれに取り付けた本体ベース１から屋外にむけて延びた上段アーム２，下段アーム３それぞれのポール通し穴５に伸縮ポールを左右ともに通して固定ネジ６を回して固定し、下段アームに通したポールと窓枠サッシの網戸下レール７１に外障子底部ホルダー７を取り付ける。この外障子底部ホルダーは、下側の端を網戸レールに固定クリップ８で留めて窓枠サッシの水切り７２上に敷くようにして設置し、薄っぺらな外障子が、水切りと下段アームに通したポールとの隙間から落下するのを防止するものである。網戸レールが無い窓サッシの場合は、外障子のレール等を利用すれば良い。
【実施例４】
【００２０】  窓内側の屋内に井桁のベース１を伸縮ポールで天井と床とに突っ張る形で支持し、アーム一体型外障子ホルダー１６をサッシ水切りに乗せ、紐状または鎖状もしくは棒状のアームを適宜長さで調整してベースに固定する。伸縮ポールの留め方については、図１６、図１７に示すように、ネジ式またはガタ止めプラグ式が一般的ではあるが、他の方法であってもかまわない。
【実施例５】
【００２１】  窓内側の窓枠左右に本体ベース１を伸縮ポールで突っ張る形で支持し、仮置き台一体型外障子ホルダー２２を窓の幅よりも広い状態にして屋外に持ち出し、両サイドを外壁７８に引き付け、図２０に示すように外障子底部ホルダー７をサッシ水切り７２に乗せて、伸縮ポールの数か所をゴムバンドまたはマジックテープバンドその他これらに類するもので本体ベースに固定する。本体ベース１の伸縮ポールの両端は、本体ベースが屋外へ脱落するのを防止するためＬ字形とし、屋内壁側に張り出すようにする。
【実施例６】
【００２２】  多数の本体ベース１をサッシのレール等に固定し、アーム一体型外障子ホルダー１６の紐状のアーム部分を適宜の長さに調整して本体ベースに繋いで固定する。この方法は、窓サッシが一般的な腰窓サッシよりも小さい場合や障子の硝子が薄くて重量が軽い場合等で簡易的に行うことができる。本体ベースとなる固定金具は、いずれかのレール間で固定式レール押え１２と可動式レール押え１３とで突っ張って固定するものであるが、可動式レール押え１３を突っ張る方向とは逆に移動させることで、いずれか一本のレールを選択して掴んで固定することもできる。
【符号の説明】
【００２３】１  本体ベース
２  上段アーム
３  下段アーム
４  外障子ホルダーポール
５  外障子ホルダーポール通し穴
６  外障子ホルダーポール固定ネジ
７  外障子底部ホルダー
８  外障子底部ホルダー固定クリップ
９  本体ベース伸縮パイプ
１０本体ベース伸縮パイプ伸縮可動部固定ネジ
１１本体ベース窓レール固定金具
１２固定式レール抑え
１３可動式レール抑え
１４可動式レール抑え調整つまみ
１５可動式レール抑え作動螺旋盤
１６アーム一体型外障子ホルダー
１７アーム一体型外障子ホルダーフック
１８ガタ止めプラグ雄
１９ガタ止めプラグ雌
２０切り込み
２１外障子仮置き台
２２仮置き台一体型外障子ホルダー
２３回転ハンドル
２４内壁側当て板
２５外壁側当て板
２６クリップ
５０アルミサッシ全体
５１窓額縁
５２上枠
５３下枠
５４室内側から見た右たて枠
５５室内側から見た左たて枠
５６内障子上框
５７内障子下框
５８内障子戸先框
５９内障子召合せ框
６０外障子上框
６１外障子下框
６２外障子戸先框
６３外障子召合せ框
６４内障子上レール
６５内障子下レール
６６内障子戸先框内レール状の揺れ止め
６７外障子上レール
６８外障子下レール
６９外障子戸先框内レール状の揺れ止め
７０網戸上レール
７１網戸下レール
７２サッシ水切り
７３内障子
７４外障子
７５屋内天井
７６屋内床
７７屋内壁
７８建物外壁
【要約】
【課題】  外窓サッシの外障子の着脱作業を容易にするための補助器具を提供する。
【解決手段】  屋外窓サッシの腰窓の障子を着脱する場合において、その作業を困難ならしめる要因は、外した外障子を屋内に取り込む際及び取り付けようとする外障子を屋外に持ち出す際に、内障子が邪魔になることなので、本発明に係る外窓障子着脱補助器具を用いて、外障子を一時屋外に仮置きすることにより、その手順を変えて、窓枠に障害となる内障子がない状態で、外障子の取り込み及び持ち出し作業を容易に行えるようにする。
【選択図】図３【図１】
0006970804.tif 000002
【図２】
0006970804.tif 000003
【図３】
0006970804.tif 000004
【図４】
0006970804.tif 000005
【図５】
0006970804.tif 000006
【図６】
0006970804.tif 000007
【図７】
0006970804.tif 000008
【図８】
0006970804.tif 000009
【図９】
0006970804.tif 000010
【図１０】
0006970804.tif 000011
【図１１】
0006970804.tif 000012
【図１２】
0006970804.tif 000013
【図１３】
0006970804.tif 000014
【図１４】
0006970804.tif 000015
【図１５】
0006970804.tif 000016
【図１６】
0006970804.tif 000017
【図１７】
0006970804.tif 000018
【図１８】
0006970804.tif 000019
【図１９】
0006970804.tif 000020
【図２０】
0006970804.tif 000021
【図２１】
0006970804.tif 000022
【図２２】
0006970804.tif 000023
【図２３】
0006970804.tif 000024